(57)【要約】【課題】不用意にロック状態が解除されることを抑制できる電気コネクタを提供する。【解決手段】リセプタクル１０は、凹部１１を開口した第１ハウジング１と複数の第１コンタクト３を備える。又、リセプタクル１０は、複数の鉤部を有し、第１ハウジング１を縦断したロック金具７１、ロック金具７１と連結したスライドボタン７２、及び、スライドボタン７２を付勢するスネークばね７３を備える。プラグ２０は、台部２１を突出した第２ハウジング２、第１コンタクト３と接続できる複数の第２コンタクト４、及び、台部２１の内部に配置し、鉤部と係合できるラッチ部材６を備える。スライドボタン７２は、その操作面が第１ハウジング１の一方の面と略面一に配置している。【選択図】図１
2020181787.tif 000002
【特許請求の範囲】
【請求項１】
一方のプリント基板に実装した第１電気コネクタと他方のプリント基板に実装した第２電気コネクタを電気的に接続する電気コネクタであって、
前記第１電気コネクタは、
前記第２電気コネクタを略嵌合できる凹部を中央部に開口した平板状の矩形の第１ハウジングと、
前記凹部の内壁に沿って配列した複数の第１コンタクトと、
複数の鉤部を一端部側に有し、複数の前記鉤部が前記凹部の底面から露出した状態で、前記第１ハウジングの内部を移動自在に縦断配置した帯状のロック金具と、
前記第１ハウジングの内部に移動自在に保持され、前記ロック金具の一端部と連結したスライドボタンと、
前記第１ハウジングの内部に配置され、前記スライドボタンを介して、前記ロック金具が一方の方向に移動する力を付勢する付勢部材と、を備え、
前記第２電気コネクタは、
前記凹部に嵌合できる外形を有し、前記凹部の底面に近接又は当接できる台部を中央部から突出した平板状の矩形の第２ハウジングと、
前記第２ハウジングの側縁に沿って配列し、前記第１コンタクトと接続できる複数の第２コンタクトと、
前記台部の内部に配置し、前記鉤部と係合できるラッチ部材と、を備え、
前記スライドボタンは、その操作面が前記第１ハウジングの一方の面と略面一に配置している、電気コネクタ。
【請求項２】
前記ラッチ部材は、内部に前記鉤部を導入でき、Ｕ字状に屈曲した金属板からなる、請求項１記載の電気コネクタ。
【請求項３】
第１ハウジングは、前記スライドボタンと反対側に配置し、工具を差し込んで、前記ロック金具を他方の方向に移動させるロック解除用の穴部を開口している、請求項１又は２記載の電気コネクタ。
【発明の詳細な説明】
【技術分野】
【０００１】
本発明は、電気コネクタに関する。特に、対向配置された一組のプリント基板を電気的に接続する電気コネクタであって、一方のプリント基板に実装した電気コネクタと他方のプリント基板に実装した電気コネクタの嵌合状態を維持するためのロック機能を備えた電気コネクタの構造に関する。
【背景技術】
【０００２】
対向配置された一方のプリント基板と他方のプリント基板を電気的に接続する基板対基板コネクタは、例えば、ボード・ツー・ボード・コネクタ（Ｂｏａｒｄ  ｔｏ  Ｂｏａｒｄ  Ｃｏｎｎｅｃｔｏｒ：ＢｔｏＢ  Ｃｏｎｎｅｃｔｏｒ）と呼ばれている。
【０００３】
このような基板対基板コネクタは、一方のプリント基板に実装した電気コネクタと他方のプリント基板に実装した電気コネクタの嵌合状態を維持するためのロック機能を備えている。
【０００４】
又、このような基板対基板コネクタは、一方の電気コネクタと他方の電気コネクタの嵌合方向での低背化が要求されていることから、一方の電気コネクタと他方の電気コネクタの嵌合状態を維持できると共に、一方の電気コネクタと他方の電気コネクタの嵌合方向での低背化を実現できる電気コネクタが開示されている（例えば、特許文献１参照）。
【先行技術文献】
【特許文献】
【０００５】
【特許文献１】特開２０１８−４５９９２号公報
【発明の概要】
【発明が解決しようとする課題】
【０００６】
図８は、従来技術による電気コネクタの構成を示す斜視図であり、図８（Ａ）は、一方の電気コネクタと他方の電気コネクタを対向配置した状態図、図８（Ｂ）は、図８（Ａ）の上下を反転した状態図である。
【０００７】
図９は、従来技術による電気コネクタの構成を示す図であり、図９（Ａ）は、一方の電気コネクタに備わるロック金具の斜視図、図９（Ｂ）は、他方の電気コネクタに備わるラッチ金具の斜視図である。
【０００８】
図１０は、従来技術による電気コネクタの構成を示す縦断面図であり、図１０（Ａ）は、一方の電気コネクタと他方の電気コネクタがロックした状態図、図１０（Ｂ）は、一方の電気コネクタと他方の電気コネクタのロックを解除した状態図である。
【０００９】
なお、本願の図８（Ａ）と図８（Ｂ）は、特許文献１の図１と図２に相当している。又、本願の図９（Ａ）と図９（Ｂ）は、特許文献１の図３（Ａ）と図５（Ａ）に相当している。更に、本願の図１０は、特許文献１の図７に相当している。
【００１０】
図８を参照すると、従来技術による電気コネクタは、一方の電気コネクタ（以下、リセプタクルという）８と他方の電気コネクタ（以下、プラグという）９を対向配置している。リセプタクル８は、図示しない一方のプリント基板に実装されている。プラグ９は、図示しない他方のプリント基板に実装されている。
【００１１】
図８を参照して、リセプタクル８に向かって、プラグ９を嵌合することで、図示しない一方のプリント基板と図示しない他方のプリント基板を電気的に接続できる。
【００１２】
図８を参照すると、リセプタクル８は、板状のハウジング８１と複数のベローズ形のコンタクト８２を備えている。ハウジング８１は、長方形に形成している。又、ハウジング８１は、矩形の台座部８１ｄを中央部から突出している（図８（Ａ）参照）。
【００１３】
図８を参照すると、複数のコンタクト８２は、ハウジング８１の内部に二列に配置されている。又、複数のコンタクト８２は、台座部８１ｄを間にして、対向配置している。コンタクト８２の一部は、ハウジング８１の底面から露出しており（図８（Ｂ）参照）、図示しない一方のプリント基板にはんだ接合できる。つまり、リセプタクル８は、プリント基板の表面にはんだ接合できる表面実装形のコネクタである。
【００１４】
又、図８を参照すると、リセプタクル８は、ロック金具８３とシールド部材からなるシェル８４を備えている。ロック金具８３は、図示しない金属製の展開板を山折り及び谷折りに折り曲げて成形している（図９（Ａ）参照）。
【００１５】
又、図９（Ａ）を参照すると、ロック金具８３は、操作部８３１を一端部側に形成している。又、ロック金具８３は、操作部８３１から連続して他端部側に向かって帯状に延びるスライド部８３２を形成している。スライド部８３２は、図示しない金属製の展開板を山折り及び谷折りに密着曲げしている。
【００１６】
図８（Ａ）を参照すると、操作部８３１は、シェル８４の一端部側に形成した、後述する一対のスネークばね８４ｓ・８４ｓを介して、シェル８４の一端部から突出している。図８（Ｂ）を参照すると、スライド部８３２は、ハウジング８１を縦断した状態で、ハウジング８１の底面にスライド自在に保持されている。ロック金具８３は、ハウジング８１に対して、図中Ｘ１−Ｘ２の方向に移動できる。
【００１７】
図８（Ａ）を参照すると、シェル８４は、矩形の本体部８４ｂと一対のスネークばね８４ｓ・８４ｓを有している。一対のスネークばね８４ｓ・８４ｓは、本体部８４ｂの一端部側に形成している。本体部８４ｂは、ハウジング８１の周壁を覆っている。又、本体部８４ｂは、複数のコンタクト８２と接触しないように中央部を開口している。
【００１８】
図８を参照すると、一対のスネークばね８４ｓ・８４ｓは、操作部８３１がシェル８４の一端部から突出する方向に力を付勢している。一対のスネークばね８４ｓ・８４ｓに抗して、操作部８３１を押すことで、ハウジング８１に対して、ロック金具８３を後退できる。操作部８３１を解放することで、ハウジング８１に対して、ロック金具８３を前進できる。
【００１９】
図８を参照すると、プラグ９は、板状のハウジング９１と複数のベローズ形のコンタクト９２を備えている。ハウジング９１は、矩形に形成している。又、ハウジング９１は、台座部８１ｄを導入できる凹部９１ｃを中央部に開口している（図８（Ｂ）参照）。
【００２０】
図８を参照すると、複数のコンタクト９２は、ハウジング９１の外部に二列に配置されている。又、複数のコンタクト９２は、凹部９１ｃを間にして、対向配置されている。コンタクト９２の一部は、ハウジング９１の底面から露出しており（図８（Ａ）参照）、図示しない他方のプリント基板にはんだ接合できる。つまり、プラグ９は、プリント基板の表面にはんだ接合できる表面実装形のコネクタである。
【００２１】
なお、コンタクト９２の両端部は、シェル８４に設けたグラウンドコンタクトに接触できる。
【００２２】
又、図８を参照すると、プラグ９は、一対のラッチ金具９３・９３をハウジング９１の両端部に固定している。図９（Ｂ）を参照すると、ラッチ金具９３は、スリット状の切り欠き部９３ｓを上部から切り欠いている。切り欠き部９３ｓには、スライド部８３２を板厚方向から導入できる。又、切り欠き部９３ｓの両側には、一対の爪部９３ｎ・９３ｎを形成している。
【００２３】
図９（Ａ）を参照すると、ロック金具８３は、一組の第１鉤部ｈ１・ｈ１をスライド部８３２の前後に配置している。又、スライド部８３２は、一組の第１鉤部ｈ１・ｈ１の間に、一組の第２鉤部ｈ２・ｈ２を配置している。
【００２４】
図１０を参照すると、第１鉤部ｈ１は、ラッチ金具９３の爪部９３ｎと係合できる。図８又は図１０を参照すると、台座部８１ｄは、一対の鉤状の爪片８１ｎ・８１ｎを底部に設けている。第２鉤部ｈ２は、台座部８１ｄの爪片８１ｎと係合できる。
【００２５】
図１０を参照して、リセプタクル８に向かって、プラグ９を移動すると、爪部９３ｎの角部が第１鉤部ｈ１の角部に当接すると共に、爪片８１ｎの角部が第２鉤部ｈ２の角部に当接することで、スネークばね８４ｓの付勢力に抗して、ハウジング８１に対してロック金具８３を図中Ｘ１の方向に移動できる（図１０（Ｂ）参照）。
【００２６】
図１０を参照して、リセプタクル８に向かって、プラグ９を更に移動し、爪部９３ｎ及び爪片８１ｎの先端面がロック金具８３に切り欠いた切り欠き部の底面に近接すると、ハウジング８１に対してロック金具８３を図中Ｘ２の方向に復帰できる（図１０（Ａ）参照）。これにより、第１鉤部ｈ１を爪部９３ｎに係合できると共に、第２鉤部ｈ２を爪片８１ｎと係合できる。
【００２７】
図１０（Ａ）に示した状態から、操作部８３１を図中Ｘ１の方向に押すと、図１０（Ｂ）に示した状態にロック金具８３を移動でき、リセプタクル８とプラグ９のロック状態を解除できる。
【００２８】
特許文献１による電気コネクタは、リセプタクルとプラグの嵌合状態を維持できると共に、リセプタクルとプラグの嵌合方向での低背化を実現できる、としている。
【００２９】
しかしながら、図８を参照すると、特許文献１による電気コネクタは、ロック金具８３の操作部８３１がコネクタ本体の外部に突出しているので、指などが不用意に操作部８３１に触れて、ロックが解除する心配がある。
【００３０】
又、図１０を参照すると、一対の爪片８１ｎ・８１ｎが、一組の第２鉤部ｈ２・ｈ２に係合することで、プラグ９の中央部の湾曲（浮き上がり）を抑制できるが、金属性の第２鉤部ｈ２に対して、爪片８１ｎを合成樹脂で成形しているので、爪片８１ｎが破損する心配がある。
【００３１】
一方のプリント基板に実装した電気コネクタと他方のプリント基板に実装した電気コネクタの嵌合状態を維持するためのロック機能を備えた電気コネクタであって、不用意にロック状態が解除されることを抑制できると共に、一方の電気コネクタと他方の電気コネクタの嵌合状態を確実に維持できる電気コネクタが求められている。そして、以上のことが本発明の課題といってよい。
【００３２】
本発明は、このような課題に鑑みてなされたものであり、不用意にロック状態が解除されることを抑制できると共に、嵌合状態を確実に維持できる電気コネクタを提供することを目的とする。
【課題を解決するための手段】
【００３３】
本発明者は、第１電気コネクタと第２電気コネクタのロック状態を解除するためのスライドボタンを第１電気コネクタに設け、スライドボタンの操作面を第１電気コネクタの第１ハウジングの一方の面と略面一に配置することで、スライドボタンを不用意に操作することを抑制できると考え、これに基づいて、以下のような新たな電気コネクタを発明するに至った。
【００３４】
（１）本発明による電気コネクタは、一方のプリント基板に実装した第１電気コネクタと他方のプリント基板に実装した第２電気コネクタを電気的に接続する電気コネクタであって、前記第１電気コネクタは、前記第２電気コネクタを略嵌合できる凹部を中央部に開口した平板状の矩形の第１ハウジングと、前記凹部の内壁に沿って配列した複数の第１コンタクトと、複数の鉤部を一端部側に有し、複数の前記鉤部が前記凹部の底面から露出した状態で、前記第１ハウジングの内部を移動自在に縦断配置した帯状のロック金具と、前記第１ハウジングの内部に移動自在に保持され、前記ロック金具の一端部と連結したスライドボタンと、前記第１ハウジングの内部に配置され、前記スライドボタンを介して、前記ロック金具が一方の方向に移動する力を付勢する付勢部材と、を備え、前記第２電気コネクタは、前記凹部に嵌合できる外形を有し、前記凹部の底面に近接又は当接できる台部を中央部から突出した平板状の矩形の第２ハウジングと、前記第２ハウジングの側縁に沿って配列し、前記第１コンタクトと接続できる複数の第２コンタクトと、前記台部の内部に配置し、前記鉤部と係合できるラッチ部材と、を備え、前記スライドボタンは、その操作面が前記第１ハウジングの一方の面と略面一に配置している。
【００３５】
（２）前記ラッチ部材は、内部に前記鉤部を導入でき、Ｕ字状に屈曲した金属板からなることが好ましい。
【００３６】
（３）第１ハウジングは、前記スライドボタンと反対側に配置し、工具を差し込んで、前記ロック金具を他方の方向に移動させるロック解除用の穴部を開口していることが好ましい。
【発明の効果】
【００３７】
本発明による電気コネクタは、第１電気コネクタと第２電気コネクタのロック状態を解除するためのスライドボタンを第１電気コネクタに設け、スライドボタンの操作面を第１電気コネクタの第１ハウジングの一方の面と略面一に配置することで、スライドボタンを不用意に操作することを抑制できる。
【図面の簡単な説明】
【００３８】
【図１】本発明の一実施形態による電気コネクタの構成を示す斜視図であり、図１（Ａ）は、第１電気コネクタと第２電気コネクタが嵌合した状態図、図１（Ｂ）は、第１電気コネクタと第２電気コネクタが嵌合する前の状態図である。
【図２】図１の表面と裏面を反転した斜視図であり、図２（Ａ）は、第１電気コネクタと第２電気コネクタが嵌合した状態図、図２（Ｂ）は、第１電気コネクタと第２電気コネクタが嵌合する前の状態図である。
【図３】第１電気コネクタの構成を示す斜視分解組立図であり、第１電気コネクタを表面側から観た状態図である。
【図４】第１電気コネクタの構成を示す斜視分解組立図であり、第１電気コネクタを裏面側から観た状態図である。
【図５】第２電気コネクタの構成を示す図であり、図５（Ａ）は、第２電気コネクタを裏面側から観た斜視図、図５（Ｂ）は、第２電気コネクタを裏面側から観た斜視分解組立図である。
【図６】前記実施形態による電気コネクタの構成を示す縦断面図であり、図６（Ａ）は、第１電気コネクタと第２電気コネクタが嵌合する前の状態図、図６（Ｂ）は、第１電気コネクタと第２電気コネクタが嵌合する途中の状態図、図６（Ｃ）は、第１電気コネクタと第２電気コネクタが嵌合した状態図である。
【図７】前記実施形態による電気コネクタの構成を示す図であり、図７（Ａ）は、電気コネクタの平面図、図７（Ｂ）から図７（Ｆ）は、図７（Ａ）のＡ−Ａ矢視断面図で示す状態変化図である。
【図８】従来技術による電気コネクタの構成を示す斜視図であり、図８（Ａ）は、一方の電気コネクタと他方の電気コネクタを対向配置した状態図、図８（Ｂ）は、図８（Ａ）の上下を反転した状態図である。
【図９】従来技術による電気コネクタの構成を示す図であり、図９（Ａ）は、一方の電気コネクタに備わるロック金具の斜視図、図９（Ｂ）は、他方の電気コネクタに備わるラッチ金具の斜視図である。
【図１０】従来技術による電気コネクタの構成を示す縦断面図であり、図１０（Ａ）は、一方の電気コネクタと他方の電気コネクタがロックした状態図、図１０（Ｂ）は、一方の電気コネクタと他方の電気コネクタのロックを解除した状態図である。
【発明を実施するための形態】
【００３９】
以下、図面を参照して本発明を実施するための形態を説明する。
［電気コネクタの構成］
最初に、本発明の一実施形態による電気コネクタの構成を説明する。
【００４０】
（全体構成）
図１から図５を参照すると、本発明の一実施形態による電気コネクタ１００は、第１電気コネクタ（以下、リセプタクルという）１０と第２電気コネクタ（以下、プラグという）２０を電気的に接続できる。
【００４１】
図１を参照すると、リセプタクル１０は、一方のプリント基板１ｐに実装されている。プラグ２０は、他方のプリント基板２ｐに実装されている。例えば、一方のプリント基板１ｐは、硬質のリジッド基板を用いることができる。他方のプリント基板２ｐは、軟質のフレキシブル基板（ＦＰＣ）を用いることができる。
【００４２】
図１（Ｂ）を参照して、リセプタクル１０に向かって、プラグ２０を嵌合することで、実施形態による電気コネクタ１００は、一方のプリント基板１ｐと他方のプリント基板２ｐを電気的に接続できる。
【００４３】
（第１電気コネクタの構成）
次に、実施形態によるリセプタクル１０の構成を説明する。図１から図４を参照すると、リセプタクル１０は、平板状の矩形の第１ハウジング１、複数のベローズ形の第１コンタクト３、及び、シールド部材からなる箱状のシェル５を備えている。
【００４４】
図１（Ｂ）又は図３を参照すると、第１ハウジング１は、矩形の凹部１１を中央部に開口している。凹部１１には、プラグ２０を嵌合できる（図１（Ａ）参照）。
【００４５】
図１（Ｂ）を参照すると、複数の第１コンタクト３は、凹部１１の内壁に沿って、二列に配列している。又、複数の第１コンタクト３は、凹部１１を間にして、対向配置している。第１コンタクト３の一部は、第１ハウジング１の底面から露出しており（図２参照）、一方のプリント基板１ｐにはんだ接合できる。つまり、リセプタクル１０は、プリント基板の表面にはんだ接合できる表面実装形のコネクタである。
【００４６】
図３又は図４を参照すると、第１コンタクト３は、信号用の第１コンタクト３ｓと電源用の第１コンタクト３ｐを含んでいる。信号用の第１コンタクト３ｓは、中央部に配列している。電源用の第１コンタクト３ｐは、複数の信号用の第１コンタクト３ｓの両端部に配列している。
【００４７】
図１を参照すると、シェル５は、第１ハウジング１の周壁を覆っている。又、シェル５は、複数の第１コンタクト３と接触しないように中央部を開口している（図３又は図４参照）。又、シェル５は、一対一組のグラウンドばね５ｓ・５ｓを中央の開口に向かって延出している。一対一組のグラウンドばね５ｓ・５ｓは、シェル５が第１ハウジング１の周壁を覆った状態を保持できる。
【００４８】
図１から図６を参照すると、リセプタクル１０は、帯状のロック金具７１、スライドボタン７２、及び、付勢部材となるスネークばね７３を更に備えている。
【００４９】
図３又は図４を参照すると、ロック金具７１は、図示しない金属製の帯状の展開板をＵ字状に折り曲げて成形している。そして、ロック金具７１は、複数のＬ字状の鉤部を対向する板片の片側の一端部に形成している（図６参照）。これらの鉤部は、一組の第１鉤部７１１・７１１と三つの第２鉤部７１２で構成している（図６参照）。
【００５０】
図１（Ｂ）又は図２を参照すると、ロック金具７１は、一組の第１鉤部７１１・７１１及び三つの第２鉤部７１２が凹部１１の底面から露出した状態で（図１（Ｂ）参照）、第１ハウジング１の内部を移動自在に縦断配置されている。
【００５１】
図１から図４又は図６を参照すると、スライドボタン７２は、第１ハウジング１の内部に移動自在に保持されている。又、スライドボタン７２は、ロック金具７１の一端部と連結している。スライドボタン７２を操作することで、ロック金具７１を移動でき、スライドボタン７２がスネークばね７３で付勢されることで、ロック金具７１を移動できる。
【００５２】
図３又は図４及び図６を参照すると、スネークばね７３は、第１ハウジング１の内部に配置されている。スネークばね７３は、スライドボタン７２を介して、ロック金具７１が一方の方向に移動する力を付勢している。スネークばね７３は、リセプタクル１０とプラグ２０がロック状態を維持する力を付勢している、ということもできる。付勢部材は、スネークばね７３に変えて、図示しない圧縮コイルばねを用いることもできる。
【００５３】
図１又は図３及び図６を参照すると、スライドボタン７２は、その操作面７２ｓに複数の襞を形成している。操作面７２ｓを指先などで操作することで、スライドボタン７２を移動できる。
【００５４】
図１又は図３及び図６を参照すると、実施形態によるリセプタクル１０は、スライドボタン７２の操作面７２ｓを第１ハウジング１の一方の面と略面一に配置しているので、スライドボタン７を不用意に操作することを抑制できる。
【００５５】
（第１ハウジングの構成）
次に、実施形態による第１ハウジング１の構成を説明する。図１から図４又は図６を参照すると、第１ハウジング１は、絶縁性を有する合成樹脂からなることが好ましい。絶縁性を有する合成樹脂を成形して、所望の形状の第１ハウジング１を得ることができる。
【００５６】
図１（Ｂ）又は図４及び図６を参照すると、第１ハウジング１は、一組の鉤状の爪部１１ｎ・１１ｎを凹部１１の底面の両端部に形成している。図６（Ｃ）に示すように、通常は、爪部１１ｎは、第１鉤部７１１と係合している。図６（Ａ）又は図６（Ｂ）に示すように、第１ハウジング１に対して、ロック金具７１を図中Ｘ１の方向に移動すると、爪部１１ｎと第１鉤部７１１の係合を解除できる。
【００５７】
図１又は図３及び図４又は図６を参照すると、第１ハウジング１は、ロック解除用の穴部１２ｈを開口している。穴部１２ｈは、スライドボタン７２と反対側に配置されている。図６（Ｃ）を参照すると、穴部１２ｈの直下には、ロック金具７１の他端部が進入している。図６（Ｃ）を参照して、マイナスドライバなどの工具Ｔを穴部１２ｈに差し込むことで、ロック金具７１を図中Ｘ１の方向に移動でき、リセプタクル１０とプラグ２０のロック状態を解除できる。
【００５８】
（ロック金具の構成）
次に、実施形態によるロック金具７１の構成を説明する。図３又は図４及び図６を参照すると、ロック金具７１は、一組の第１鉤部７１１・７１１を長手方向の前後に配置している。又、ロック金具７１は、一組の第１鉤部７１１・７１１の間に、三つの第２鉤部７１２を配置している。
【００５９】
図６を参照すると、第１鉤部７１１は、爪部１１ｎと係合できる。第２鉤部７１２は、プラグ２０に設けた後述するラッチ部材６と係合できる。そして、第２鉤部７１２とラッチ部材６との作用は後述する。
【００６０】
（第２電気コネクタの構成）
次に、実施形態によるプラグ２０の構成を説明する。図１又は図２及び図５を参照すると、プラグ２０は、平板状の矩形の第２ハウジング２、複数のベローズ形の第２コンタクト４、及び、複数のラッチ部材６を備えている。
【００６１】
図１又は図２及び図５を参照すると、第２ハウジング２は、第１ハウジング１の凹部１１に嵌合できる矩形の外形を形成している。第２ハウジング２は、方形の台部２１を中央部から突出している。台部２１は、その先端面を凹部１１の底面に近接又は当接できる。
【００６２】
図１又は図２及び図５を参照すると、複数の第２コンタクト４は、第２ハウジング２の側縁に沿って、二列に配列している。又、複数の第２コンタクト４は、台部２１を間にして、対向配置している。第２コンタクト４の一部は、第２ハウジング２の底面から露出しており（図１参照）、他方のプリント基板２ｐにはんだ接合できる。つまり、プラグ２０は、プリント基板の表面にはんだ接合できる表面実装形のコネクタである。
【００６３】
図５を参照すると、第２コンタクト４は、信号用の第２コンタクト４ｓと電源用の第２コンタクト４ｐを含んでいる。信号用の第２コンタクト４ｓは、中央部に配列している。電源用の第２コンタクト４ｐは、複数の信号用の第２コンタクト４ｐの両端部に配列している。
【００６４】
図１（Ｂ）を参照して、リセプタクル１０に向かって、プラグ２０を嵌合すると、第１コンタクト３と第２コンタクト４を電気的に接続できる。
【００６５】
又、図５を参照すると、第２コンタクト４の両端部には、一対のグラウンドコンタクト４ｇを配置している。グラウンドコンタクト４ｇの一部は、他方のプリント基板２ｐにはんだ接合されている（図１参照）。
【００６６】
図１（Ｂ）を参照して、リセプタクル１０に向かって、プラグ２０を嵌合すると、グラウンドコンタクト４ｇをグラウンドばね５ｓに接触できる（図３又は図４参照）。これにより、一方のプリント基板１ｐと他方のプリント基板２ｐのグラウンドを同電位にできる。
【００６７】
図５（Ｂ）を参照すると、ラッチ部材６は、Ｕ字状に屈曲した金属板で構成している。これらのラッチ部材６は、その底部側を先頭に第２ハウジング２の底面から圧入している（図１参照）。そして、これらのラッチ部材６は、台部２１の内部に配置されている。
【００６８】
これらのラッチ部材６の作用は後述するが、ラッチ部材６は、Ｕ字状に屈曲した金属板の内部に第２鉤部７１２を導入できる（図３又は図５参照）。そして、ラッチ部材６は、第２鉤部７１２と係合できる。
【００６９】
（第２ハウジングの構成）
次に、実施形態による第２ハウジング２の構成を説明する。図１又は図２及び図５を参照すると、第２ハウジング２は、絶縁性を有する合成樹脂からなることが好ましい。絶縁性を有する合成樹脂を成形して、所望の形状の第２ハウジング２を得ることができる。
【００７０】
図２（Ｂ）又は図５を参照すると、第２ハウジング２は、スリット状の溝２１ｈを台部２１の先端面から穿設している。溝２１ｈには、第２鉤部７１２を導入できる（図３又は図４参照）。第２鉤部７１２を溝２１ｈに導入後に、ロック金具７１が一方の方向に移動することで、第２鉤部７１２をラッチ部材６の内部に導入できる。
【００７１】
［電気コネクタの作用］
次に、実施形態による電気コネクタ１００の動作を説明しながら、電気コネクタ１００の作用及び効果を説明する。
【００７２】
最初に、図７（Ｂ）を参照して、プラグ２０に形成した台部２１とリセプタクル１０に形成した凹部１１の底面を対向配置する。次に、図７（Ｂ）に示した状態から、リセプタクル１０に向かってプラグ２０を移動する（図７（Ｃ）参照）。
【００７３】
図７（Ｃ）に示した状態では、第２ハウジング２の角部がスライドボタン７２の角部に当接している。次に、図７（Ｃ）に示した状態から、リセプタクル１０の凹部１１の底面に向かってプラグ２０を更に移動する（図７（Ｄ）参照）。
【００７４】
図７（Ｄ）に示した状態では、プラグ２０は、リセプタクル１０の凹部１１に規制されているので、スネークばね７３の付勢力に抗して、スライドボタン７２を図中Ｘ１の方向に移動させる。スライドボタン７２の移動により、ロック金具７１を図中Ｘ１の方向に移動できる（図６（Ａ）参照）。
【００７５】
次に、図７（Ｄ）に示した状態から、リセプタクル１０の凹部１１の底面に向かってプラグ２０を更に移動する（図７（Ｅ）参照）。図７（Ｅ）に示した状態では、プラグ２０は、リセプタクル１０の凹部１１に規制されているので、スネークばね７３の付勢力に抗して、スライドボタン７２を図中Ｘ１の方向に更に移動させる。スライドボタン７２の移動により、ロック金具７１を図中Ｘ１の方向に更に移動できる（図６（Ｂ）参照）。
【００７６】
図６（Ｂ）又は図７（Ｅ）に示した状態では、一組の第２鉤部７１２・７１２が台部２１の溝２１ｈに進入している。次に、図７（Ｅ）に示した状態から、リセプタクル１０の凹部１１の底面に向かってプラグ２０を更に移動する（図７（Ｆ）参照）。
【００７７】
図６（Ｂ）又は図７（Ｅ）に示した状態では、台部２１の先端面は、凹部１１の底面に近接又は当接している。図６（Ｂ）又は図７（Ｅ）に示した状態では、第２ハウジング２の一部がスライドボタン７２に食い込むことで、スネークばね７３に付勢されて、スライドボタン７２を図中Ｘ２の方向に復帰できる（図６（Ｆ）参照）。
【００７８】
図６（Ｃ）又は図７（Ｆ）に示した状態では、スライドボタン７２の復帰により、ロック金具７１が図中Ｘ２の方向に移動している。図６（Ｃ）又は図７（Ｆ）に示した状態では、複数の第２鉤部７１２がラッチ部材６に係合している。つまり、リセプタクル１０とプラグ２０がロック状態になっている。
【００７９】
図６（Ｃ）又は図７（Ｆ）に示した状態では、複数の第２鉤部７１２がラッチ部材６に係合しているので、複数の第１コンタクト３と複数の第２コンタクト４が接続することに起因する第２ハウジング２の中央部の膨らみを抑制できる。
【００８０】
図６（Ｃ）又は図７（Ｆ）に示した状態から、スライドボタン７２を操作して、図中Ｘ１の方向に移動することで、リセプタクル１０とプラグ２０のロック状態を解除できる。
【００８１】
従来技術によるロック金具の操作部がコネクタ本体に外在していたのに対し、本発明によるロック金具の操作部は、コネクタ本体に内在していると共に、スライドボタンの操作面を第１ハウジングの一方の面と略面一に配置しているので、不用意にロック状態が解除されることを抑制できる。
【００８２】
又、従来技術による電気コネクタは、プラグに設けた合成樹脂性の爪片とリセプタクルに設けた金属性の鉤部が係合することで、プラグの中央部の湾曲（浮き上がり）を抑制していたが、本発明による電気コネクタは、金属性の鉤部と金属性のラッチ部材が係合しているので、プラグの中央部の湾曲（浮き上がり）を確実に抑制できる。
【００８３】
更に、本発明による電気コネクタは、工具を差し込んで、ロック金具を他方の方向に移動させるロック解除用の穴部をスライドボタンと反対側に開口しているので、不用意にロック状態が解除されることを抑制できる。
【００８４】
本発明による電気コネクタは、スネークばねに変えて、圧縮コイルばねを用いることもできる。又、ロック金具とスライドボタンを一体で構成してもよい。更に、複数の鉤部を形成した板片を密着曲げで重ね合せて補強してもよい。
【００８５】
本発明による電気コネクタは、ボード・ツー・ボード・コネクタに好適な実施形態を開示したが、本発明による電気コネクタは、電線とプリント基板を電気的に接続する電線対基板コネクタに応用することが期待される。
【符号の説明】
【００８６】
１  第１ハウジング
１ｐ  一方のプリント基板
２  第２ハウジング
２ｐ  他方のプリント基板
３  第１コンタクト
４  第２コンタクト
６  ラッチ部材
１０  リセプタクル（第１電気コネクタ）
１１  凹部
２０  プラグ（第２電気コネクタ）
２１  台部
７１  ロック金具
７２  スライドボタン
７３  スネークばね（付勢部材）
１００  電気コネクタ
【図１】
2020181787.tif 000003
【図２】
2020181787.tif 000004
【図３】
2020181787.tif 000005
【図４】
2020181787.tif 000006
【図５】
2020181787.tif 000007
【図６】
2020181787.tif 000008
【図７】
2020181787.tif 000009
【図８】
2020181787.tif 000010
【図９】
2020181787.tif 000011
【図１０】
2020181787.tif 000012